(57)【要約】【課題】一対の縦枠の対向面が互いに平行でない大型のエレベータにも適用可能であり、かつ乗場に容易に設置できるエレベータの出入口養生装置の提供。【解決手段】縦枠２ａ，２ｂの乗場ドア１と対向する面に当接する当接部材６と、養生パネル部材３の乗場ドア１と対向する面に取付けられる支持部材７と、これらの当接部材６および支持部材７間に伸縮自在に張設されるワイヤ部材８とを備えた。これにより、縦枠２ａ、２ｂの乗場ドア１と対向する面に当接部材６を当接させ、フック１１を支持部材７に引っ掛けてワイヤ部材８の全体長さを調節し、ワイヤ部材８を介して養生パネル部材３を縦枠２ａ、２ｂに支持させる。【選択図】図１
2005022855.tif 000002
【特許請求の範囲】
【請求項１】
エレベータ乗場に所定間隔をおいてそれぞれ立設される一対の縦枠、およびこれらの縦枠の上端を連結する横枠からなる三方枠と、この三方枠に沿って開閉可能に設けられる乗場ドアとを備えたエレベータ出入口の周囲を、養生パネル部材で囲み養生するエレベータの出入口養生装置において、
前記縦枠の前記乗場ドアと対向する面に当接する当接部材と、前記養生パネル部材に取付けられる支持部材と、これらの当接部材および支持部材間に伸縮自在に張設されるワイヤ部材とを備えたことを特徴とするエレベータの出入口養生装置。
【請求項２】
前記支持部材を、前記養生パネル部材の前記乗場ドアと対向する面に設けたことを特徴とする請求項１記載のエレベータの出入口養生装置。
【請求項３】
前記当接部材、支持部材およびワイヤ部材を、前記縦枠毎にそれぞれ設けたことを特徴とする請求項１または請求項２記載のエレベータの出入口養生装置。
【発明の詳細な説明】
【技術分野】
【０００１】
本発明は、エレベータの工事改修時にエレベータ出入口の周囲を養生パネル部材で囲み養生するエレベータの出入口養生装置に関する。
【背景技術】
【０００２】
一般に、エレベータの工事改修時にビル内利用者の災害防止を図るため種々の安全策が考えられているが、その安全策の主要なものの一つとして、エレベータ出入口の周囲を養生パネル部材で囲み養生するエレベータ出入口の養生装置が挙げられる（例えば、特許文献１参照。）。
【０００３】
図４はこの種の従来のエレベータの出入口養生装置を示す平面図、図５は従来のエレベータの出入口養生装置を示す斜視図である。
【０００４】
図４に示すエレベータ乗場には、所定間隔をおいてそれぞれ立設される一対の縦枠２ａ、２ｂ、およびこれらの縦枠２ａ、２ｂの上端を連結する図示しない横枠からなる三方枠２と、この三方枠２の内側（図４の上側）に開閉可能に設けられる乗場ドア１とを含むエレベータ出入口が形成されている。そして、従来の出入口養生装置は、上記のエレベータ出入口の周囲を囲う養生パネル部材３と、三方枠２の縦枠２ａ、２ｂ間に介設される突っ張り棒４と、この突っ張り棒４と養生パネル３との間に張設される一対のバインド線４ａとを有し、図５に示すように養生パネル部材３に工事用ドア５が設けられている。また、養生パネル部材３の両側は縦枠２ａ、２ｂに向けて折り曲げられている。
【特許文献１】特開平３‐２７２９９０号公報（２頁および３頁、第１、２図）
【発明の開示】
【発明が解決しようとする課題】
【０００５】
ところで、上記した従来技術にあっては、三方枠２の縦枠２ａ、２ｂ間に突っ張り棒４を介設する必要があるため、例えば、大型のエレベータのように縦枠間の間口寸法が乗場側に向けて拡大し対向面が互いに平行でない場合には、突っ張り棒４を取付けることができないという問題がある。また、突っ張り棒４は長尺材となるため、その運搬などが煩雑であり、さらに、バインド線４ａの張設作業はちょうど良い張力となるようその長さを調節せねばならないが、この長さ調節作業も煩雑である。
【０００６】
本発明は、上記のような従来技術における実状を鑑みてなされたもので、その目的は、一対の縦枠の対向面が互いに平行でない大型のエレベータにも適用可能であり、かつ乗場に容易に設置することのできるエレベータの出入口養生装置を提供することにある。
【課題を解決するための手段】
【０００７】
上記目的を達成するために本発明は、エレベータ乗場に所定間隔をおいてそれぞれ立設される一対の縦枠、およびこれらの縦枠の上端を連結する横枠からなる三方枠と、この三方枠に沿って開閉可能に設けられる乗場ドアとを備えたエレベータ出入口の周囲を、養生パネル部材で囲み養生するエレベータの出入口養生装置において、前記縦枠の前記乗場ドアと対向する面に当接する当接部材と、前記養生パネル部材に取付けられる支持部材と、これらの当接部材および支持部材間に伸縮自在に張設されるワイヤ部材とを備えた構成にした。
【０００８】
このように構成した発明では、縦枠の乗場ドアと対向する面に当接した当接部材と、養生パネル部材に取付けられた支持部材との間にワイヤ部材を張設して養生パネル部材を支持するので、一対の縦枠の対向面が互いに平行でない大型のエレベータにも適用可能である。また、縦枠の奥行き寸法などに合せてワイヤ部材を伸縮させて、このワイヤ部材を介して養生パネル部材を支持できるので、乗場に容易に設置可能なエレベータの出入口養生装置が得られる。
【発明の効果】
【０００９】
以上説明したように本発明では、縦枠の乗場ドアと対向する面に当接した当接部材と養生パネル部材に取付けられた支持部材との間にワイヤ部材を張設して養生パネル部材を支持するので、一対の縦枠の対向面が互いに平行でない大型のエレベータにも適用可能である。また、縦枠の奥行き寸法などに合せてワイヤ部材を伸縮させることにより、このワイヤ部材を介して養生パネル部材を支持できるので、乗場に容易に設置可能なエレベータの出入口養生装置が得られる。
【発明を実施するための最良の形態】
【００１０】
以下、本発明のエレベータの出入口養生装置の実施の形態を図に基づいて説明する。
【００１１】
図１は本発明の一実施形態に係わるエレベータの出入口養生装置を示す平面図、図２は本実施形態の出入口養生装置を縦枠の対向面が互いに平行でない大型のエレベータに装着した状態を示す平面図である。なお、図１、図２において前述した図４、図５に示すものと同等のものには同一符号を付してある。
【００１２】
図１に示す本実施形態の出入口養生装置は、前述した図４、図５に示すものと比べて、縦枠２ａ、２ｂの乗場ドア１と対向する面にそれぞれ当接する一対の当接部材６と、養生パネル部材３の乗場ドア１と対向する面に取付けられる一対の支持部材７と、これらの当接部材６および支持部材７間に伸縮自在に張設される一対のワイヤ部材８とを備えたことが異なっており、その他の構成は基本的に同様である。
【００１３】
ワイヤ部材８の一端は、スリーブ９により当接部材５に圧接固定され、ワイヤ部材８の他端は、長さ調節部１０およびフック１１を介して支持部材７に係止されている。長さ調節部１０は、ワイヤ部材８の端部１２を引っ張ることによりワイヤ部材８の全体長さを調整可能であるとともに、押圧部１３を押圧することにより引っ張り方向とは逆方向へ全体長さを戻すこともできる。
【００１４】
この実施形態にあっては、図１に示すように、エレベータ出入口の周囲を養生パネル部材３で囲み、縦枠２ａ、２ｂの乗場ドア１と対向する面にそれぞれ当接部材６を当接させるとともに、フック１１を支持部材７に引っ掛けた状態で、ワイヤ部材８の端部１２を引っ張ることによりワイヤ部材８の全体長さを短くし、これらのワイヤ部材８を介して養生パネル部材３を縦枠２ａ、２ｂに支持させることにより設置を完了する。
【００１５】
また、図２に示すように、三方枠１４の縦枠１４ａ，１４ｂの対向面が互いに平行でない大型のエレベータに設置する場合、エレベータ出入口の周囲を養生パネル部材３ａで囲み、縦枠１４ａ、１４ｂの乗場ドア１と対向する面にそれぞれ当接部材６を当接させた後、長さ調節部１０の押圧部１３を押圧しワイヤ部材８の全体長さを長くして、フック１１を支持部材７に引っ掛けることにより、一対のワイヤ部材８を介して養生パネル部材３ａを縦枠１４ａ、１４ｂに支持させることにより設置を完了する。
【００１６】
このように構成した本実施形態では、図２に示すように縦枠１４ａ，１４ｂの乗場ドア１と対向する面に当接した当接部材６と、養生パネル部材３ａに取付けられた支持部材７との間にワイヤ部材８を張設して養生パネル部材３ａを支持するので、一対の縦枠１４ａ，１４ｂの対向面が互いに平行でない大型のエレベータにも適用可能である。
【００１７】
また、本実施形態では、図１に示す縦枠２，２ｂの奥行き寸法や、図２に示す縦枠１４ａ，１４ｂの奥行き寸法などに合せてワイヤ部材８を伸縮させることにより養生パネル部材３，３ａを支持できるので、乗場に容易に設置可能なエレベータの出入口養生装置が得られる。
【００１８】
また、本実施形態では、当接部材６および支持部材７が小型の固定金具程度の大きさですみ、さらにワイヤ部材８は容易に折り曲げることが可能であるため、運搬特性にも優れている。
【００１９】
なお、上記実施形態にあっては、左右それぞれ１対のワイヤ部材８を設けた場合を例示したが、本発明はこれに限らず、左右上下にワイヤ部材８を計４組設ければ、より強固に養生パネル部材３，３ａを支持することができる。
【００２０】
図３は本発明の他の実施形態に係わるエレベータの出入口養生装置を示す平面図である。なお、図３において前述した図１、図２、図４、図５に示すものと同等のものには同一符号を付してある。
【００２１】
図３に示す本実施形態の出入口養生装置は、前述した図２に示すものと比べて、両側を折り曲げない平板状の養生パネル部材３ｂを備えたことが異なっており、その他の構成は基本的に同様である。
【００２２】
この実施形態の出入口養生装置にあっては、縦枠１４ａ、１４ｂの手間側（図３の下側）の面に板状の養生パネル部材３ｂを当接させて、縦枠１４ａ、１４ｂの乗場ドア１と対向する面にそれぞれ当接部材６を当接させるとともに、フック１１を支持部材７に引っ掛けた状態で、ワイヤ部材８の端部１２を引っ張ることによりワイヤ部材８の全体長さを短くして、養生パネル部材３ｂを縦枠１４ａ、１４ｂに支持させることにより設置を完了する。
【００２３】
このように構成した本実施形態でも、前述した図１、図２に示すものと同様の効果が得られる。
【図面の簡単な説明】
【００２４】
【図１】本発明の一実施形態に係わるエレベータの出入口養生装置を示す平面図である。
【図２】本実施形態の出入口養生装置を縦枠の対向面が互いに平行でない大型のエレベータに装着した状態を示す平面図である。
【図３】本発明の他の実施形態に係わるエレベータの出入口養生装置を示す平面図である。
【図４】従来のエレベータの出入口養生装置を示す平面図である。
【図５】従来のエレベータの出入口養生装置を示す斜視図である。
【符号の説明】
【００２５】
１  乗場ドア
２  三方枠
２ａ、２ｂ  縦枠
３  養生パネル部材
３ａ  養生パネル部材
３ｂ  養生パネル部材
６  当接部材
７  支持部材
８  ワイヤ部材
１０  長さ調整部
１４  三方枠
１４ａ、１４ｂ  縦枠
【図１】
2005022855.tif 000003
【図２】
2005022855.tif 000004
【図３】
2005022855.tif 000005
【図４】
2005022855.tif 000006
【図５】
2005022855.tif 000007